【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
平面脂質二重層における電気信号の測定が可能な電気回路を有する装置を用い、平面脂質二重層に膜タンパク質を挿入する方法であって、
手動または機械システムによって移動可能に配置された巨視的な要素であり、かつ前記膜タンパク質の保持が可能なキャリア表面を有する、プローブを提供する工程と、
膜タンパク質がキャリア表面上に保持されるように前記プローブのキャリア表面上に前記膜タンパク質を堆積させる工程と、
手動または機械システムによって前記プローブを移動させ前記平面脂質二重層に対して前記キャリア表面を固定し、前記膜タンパク質を前記脂質二重層へ挿入させ前記電気回路によって測定される電気信号に基づき前記挿入が検出される工程と、
を含む方法。
【請求項２】
前記キャリア表面は前記平面脂質二重層よりも強くない力で前記膜タンパク質を保持することができ、
前記方法は更に、前記プローブを移動させ、平面脂質二重層に対してプローブのキャリア表面を固定する工程の後に、前記プローブを移動させて、平面脂質二重層からプローブのキャリア表面を離脱させ、それによって、挿入された膜タンパク質を平面脂質二重層内に残す工程を含む請求項１記載の方法。
【請求項３】
前記プローブは、キャリア表面上に前記膜タンパク質を吸着することによってこの膜タンパク質を保持することが可能である請求項１または２に記載の方法。
【請求項４】
前記プローブは、ゲルのドロップを有する本体を含み、前記ゲルは前記本体から突き出ており、ゲルは、その突出した表面上に膜タンパク質を保持することが可能であり、突出した表面が前記キャリア表面を構成する前記いずれかの請求項に記載の方法。
【請求項５】
前記ゲルがヒドロゲルである請求項４に記載の方法。
【請求項６】
前記ゲルがアガロースゲルまたは合成ゲルである請求項５に記載の方法。
【請求項７】
前記ゲルがポリアクリルアミドである請求項６に記載の方法。
【請求項８】
前記本体が凹部を有し、前記ゲルのドロップが前記凹部内にある請求項４〜７のいずれかに記載の方法。
【請求項９】
前記キャリア表面が、水溶液が通過して拡散できる材料の表面である前記いずれかの請求項に記載の方法。
【請求項１０】
前記キャリア表面が固体の表面である請求項１〜３のいずれかに記載の方法。
【請求項１１】
前記キャリア表面が、膜タンパク質に対する親和性が増加するように処理される請求項１０に記載の方法。
【請求項１２】
前記キャリア表面が、シラン修飾によって処理される請求項１１に記載の方法。
【請求項１３】
前記キャリア表面が、材料のコーティングを有する請求項１０に記載の方法。
【請求項１４】
前記固体がガラスである請求項９〜１３のいずれかに記載の方法。
【請求項１５】
前記キャリア表面が、前記平面脂質二重層の面積よりも大きな面積を有する請求項１〜９のいずれかに記載の方法。
【請求項１６】
前記キャリア表面が、少なくとも１桁、平面脂質二重層の面積よりも大きな面積を有する請求項１５に記載の方法。
【請求項１７】
前記キャリア表面が、少なくとも１ｍｍ２の面積を有する前記いずれかの請求項に記載の方法。
【請求項１８】
前記キャリア表面が前記平面脂質二重層よりも小さい請求項１〜３または９〜１３のいずれかに記載の方法。
【請求項１９】
前記キャリア表面が、前記平面脂質二重層の面積の最大で７０％の面積を有する請求項１８に記載の方法。
【請求項２０】
前記プローブの前記キャリア表面上に前記膜タンパク質を堆積させる前記工程が前記プローブの前記キャリア表面上に前記膜タンパク質を含有する溶液を堆積させる工程を含む、前記いずれかの請求項に記載の方法。
【請求項２１】
前記プローブの前記キャリア表面上に前記膜タンパク質を堆積させる前記工程が、前記膜タンパク質を含有する試料に前記プローブの前記キャリア表面をこすりつける工程を含む請求項１〜１９のいずれかに記載の方法。
【請求項２２】
前記膜タンパク質が、ポアまたはチャネルである前記いずれかの請求項に記載の方法。
【請求項２３】
前記膜タンパク質がβ−バレル型またはα−ヘリックス型である請求項２２に記載の方法。
【請求項２４】
平面脂質二重層への膜タンパク質の挿入が、平面脂質二重層を流れる電流の特徴的な増加に基づき前記電気回路で検出される請求項２２または２３に記載の方法。
【請求項２５】
前記平面脂質二重層が、チャンバを定義するチャンバ本体と、中に前記平面脂質二重層が形成される開口を有する前記チャンバの壁と、を含む装置内に形成され、前記チャンバが水溶液を含有する前記いずれかの請求項に記載の方法。
【請求項２６】
分子が、ポアまたはチャネルである膜タンパク質である請求項２５に記載の方法。
【請求項２７】
前記プローブが、前記平面脂質二重層に対して前記キャリア表面を固定するために前記プローブを動かすことができるように前記チャンバ本体上に取り付けられる請求項２５または２６に記載の方法。
【請求項２８】
前記チャンバが、前記チャンバの上面に開口部を有し、前記壁は前記チャンバの側面に形成される開口を有し、
前記プローブが、
前記キャリア表面を有する本体と、
前記チャンバ内の本体を支持し、前記開口部を通して前記チャンバの外に伸張し前記プローブの操作を可能にするアームとを含む請求項２５〜２７のいずれか記載の方法。
【請求項２９】
前記プローブが更に、前記チャンバ本体上に取り付けられて前記アームを支持するブームを含む請求項２８に記載の方法。
【請求項３０】
前記プローブが、前記チャンバ本体上に枢動可能に取り付けられる請求項２７または２９に記載の方法。
【手続補正２】
【補正対象書類名】明細書
【補正対象項目名】０００１
【補正方法】変更
【補正の内容】
【０００１】
本発明は、平面脂質二重層内への挿入のための、膜タンパク質の平面脂質二重層への送達に関する。
【手続補正３】
【補正対象書類名】明細書
【補正対象項目名】０００２
【補正方法】変更
【補正の内容】
【０００２】
中に膜タンパク質が挿入された脂質二重層は、特に細胞膜として、生体系のいくつかのタイプにおける膜を構成する。そのような生体膜にインスパイアされ、平面脂質二重層に挿入された膜タンパク質に関連した多数の技術が開発されている。これらの技術においては、膜タンパク質または別の分子を平面脂質二重層へ送達することが必要である。
【手続補正４】
【補正対象書類名】明細書
【補正対象項目名】０００４
【補正方法】変更
【補正の内容】
【０００４】
確率的センシングなどの技術の多用途性にもかかわらず、実用的な方法は面倒で費用がかかり、熟練の科学者によって行われる必要がある。大きな困難は、センシング実施のために平面脂質二重層内に膜タンパク質を挿入するために使用される技術にある。最も一般的な技術は、精製された形態の膜タンパク質を溶液に懸濁し、続いて膜タンパク質が平面脂質二重層に拡散し、平面脂質二重層に結合することによって挿入され、機能状態に組み入れられる間、待つというものである。しかし、実施において、単一の膜タンパク質を脂質二重層内に挿入するのは、非常に速度が遅く、信頼できない場合があり得る。確率的センシングの場合、単一のポアを有するのが好ましい。なぜならば、複数のポアの場合、動態解析を妨げるか、あるいは少なくとも複雑にするからである。複数のポアにおける挿入を防ぐために、膜タンパク質の濃度が低い溶液が使用される。膜タンパク質が平面脂質二重層内に挿入されるのにかかる時間は、一般的には数十分である。速度が遅いことと科学者にとってストレスのたまるものであることを別にしても、こうしたことは、上述の技術をどのように商業的に適用するに当たっても不利益である。
【手続補正５】
【補正対象書類名】明細書
【補正対象項目名】０００５
【補正方法】変更
【補正の内容】
【０００５】
関連した問題が、新しく人工的に作り出したタンパク質においても起こる。この場合において、活性の不足がある場合、人工的に作り出した膜タンパク質が平面脂質二重層内に挿入されるための機能が働かないためであるのか、それとも、不十分な濃度、異なる吸着特性、または単に十分に時間が経過していないなどの別の要因によるものであるのかが、不明である。
【手続補正６】
【補正対象書類名】明細書
【補正対象項目名】０００６
【補正方法】変更
【補正の内容】
【０００６】
更に、単一のポアが一旦挿入されてモニタリングが開始されても、続いて別の膜タンパク質が溶液から平面脂質二重層へと挿入されてしまうことによって、実験が台無しになり得る。この問題の一つの可能な解決法は、単一のポアが挿入された後に装置をかん流させて、溶液から余分なタンパク質を除去することである。しかし、これは難儀で信頼できない工程であり、しばしば平面脂質二重層が破裂する結果となる。
【手続補正７】
【補正対象書類名】明細書
【補正対象項目名】０００７
【補正方法】変更
【補正の内容】
【０００７】
実施上の問題として、膜タンパク質の挿入に要する時間を最小限にとどめるためには、比較的広い面積の平面脂質二重層を使用する必要がある。しかし、電気的雑音を低くし、安定性を高めるためには、平面脂質二重層の面積を減らすことが望ましいであろう。
【手続補正８】
【補正対象書類名】明細書
【補正対象項目名】００１０
【補正方法】変更
【補正の内容】
【００１０】
本発明によれば、［請求項１］が提供される。
【手続補正９】
【補正対象書類名】明細書
【補正対象項目名】００１１
【補正方法】変更
【補正の内容】
【００１１】
膜タンパク質を平面脂質二重層に送達するこの方法は、単に膜タンパク質を溶液に入れて待つという上記の既知の技術を超える多数の利点を生み出す。主要な利点は、この方法が迅速で容易に実施できることである。膜タンパク質をプローブ上に置き、プローブを移動させて、平面脂質二重層に対して固定する工程は、実験的に実施が非常に単純で、多大なスキルや専門知識を必要としない。プローブは巨視的な要素であり、手動で、またはマイクロマニピュレータなどの機械システムによって操作されることが可能である。これらの工程はまた、非常に迅速に実施され得る。
【手続補正１０】
【補正対象書類名】明細書
【補正対象項目名】００１２
【補正方法】変更
【補正の内容】
【００１２】
プローブを移動させて、平面脂質二重層に対してキャリア表面を固定する工程によって、膜タンパク質が平面脂質二重層に挿入される。実際には、平面脂質二重層に対してキャリア表面を固定させた後、挿入は非常に迅速に起こる。一般的に、挿入は固定から２、３秒以内に起こる。このスピードは実際面において非常に重要である。なぜならば、膜タンパク質を溶液に加えて二重層内に挿入されるのを待つことによって得られ得るよりも何倍も高い率で、実験の実施を反復できるからである。この既知の技術に比べ、本発明は、非常にハイスループットな実験の可能性を提供する。更に、ユーザ側のスキルのレベルがずっと低くとも、スピードが得られ得る。例えば、前記方法は、異なる膜タンパク質および／または検体のハイスループットなスクリーニングを提供するために適用されてもよい。本発明の高速さが特に有用であろう例としては、とりわけ以下のものが含まれる：（１）チャネル、ポア、またはその他の膜タンパク質の機能研究；および（２）検体の存在下での膜タンパク質の機能または活性の測定であって、膜タンパク質および検体のうちのいずれか、または両方の識別を提供し得るもの。
【手続補正１１】
【補正対象書類名】明細書
【補正対象項目名】００１４
【補正方法】変更
【補正の内容】
【００１４】
本方法の実施の容易さおよびスピードは、例えばハイスループットなスクリーニングのためのセンサーアレイとして作用するための、膜タンパク質のアレイの生成を促進する可能性を提供する。これは、別々の脂質二重層内にタンパク質をそれぞれ挿入することによって、または単一の平面脂質二重層内に複数のタンパク質を順次的に挿入することによって達成され得るであろう。タンパク質は、同じタイプでも異なるタイプでもよい。特に、本方法は、このようなアレイを調製する際に使用するために、容易に自動化され得る。このような膜タンパク質、特に異なる構造を有する人工的に作り出したタンパク質のアレイは、今までは実施するのが困難であったが、例えば、目的の特別な検体の認識、あるいは検体の複合混合物の認識を可能にするツールとして非常に有用であるものと期待されている。例えば、様々な化合物がセンサーアレイに添加されて、機能の変化がモニターし得るであろう。
【手続補正１２】
【補正対象書類名】明細書
【補正対象項目名】００１５
【補正方法】変更
【補正の内容】
【００１５】
本方法の直接的な性質は、これまで人工平面脂質二重層内での再構成が困難であった膜タンパク質の調査を可能にし得る。
【手続補正１３】
【補正対象書類名】明細書
【補正対象項目名】００１６
【補正方法】変更
【補正の内容】
【００１６】
本方法が高速であることは、比較的小さい面積の脂質二重層への適用が可能であること、言い換えれば、電気的雑音の減少および平面脂質二重層の安定性の改善を可能にすることを意味する。
【手続補正１４】
【補正対象書類名】明細書
【補正対象項目名】００１７
【補正方法】変更
【補正の内容】
【００１７】
多くの利点は、プローブの使用自体に由来する。利点の１つは、送達されるべき膜タンパク質の調製を簡素化することである。例えば、膜タンパク質は、水溶液以外の媒体から得られ得る。１つの選択肢は、プローブを試料にこすりつけるというものである。試料は、例えば、細胞培養物、細菌コロニー、または菌類系であってよい。これらの場合、試料は未溶解であってよい。また、試料は非細胞の、例えば「合成」リボソーム系であってよい。
【手続補正１５】
【補正対象書類名】明細書
【補正対象項目名】００１８
【補正方法】変更
【補正の内容】
【００１８】
このことは、研究の際に、ＩＶＶＴなどのタンパク質の複雑な抽出および精製技術やプラスミドの精製、またはＤＮＡ増幅やタンパク質のアセンブリおよび精製の必要なしに、タンパク質が容易に脂質二重層へ移送されることを可能にする。更に、細菌コロニーは、タンパク質用の理想的なストレージシステムである。細菌内でのタンパク質の発現と二重層への送達との間に追加する工程がないので、よりデリケートなタンパク質の、潜在的に変性させる条件への露出が最小限に抑えられる。あるいは、別の利点の可能性としては、キャリア表面上への膜タンパク質の堆積の後で、例えば低温および適切な湿度などの適切な条件下で、プローブを貯蔵し得ることである。
【手続補正１６】
【補正対象書類名】明細書
【補正対象項目名】００１９
【補正方法】変更
【補正の内容】
【００１９】
平面脂質二重層へ膜タンパク質を送達する先行技術では、巨視的な物体への固定を回避する傾向にある。これは、脂質二重層が、固定の際の機械的衝撃に耐えることができないであろうと予期したためと推定される。しかし、実際には、破裂や損傷を引き起こさずに、平面脂質二重層をプローブに固定することが可能であることが、本発明者らによって理解されている。以下により詳細に述べられる実験において、本方法が実際に非常に強固なものであることが実証されている。平面脂質二重層は、適用された力を制御するための特別な測定を何も必要とせずに、プローブを手動で移動させることによる固定が可能であった（このような制御または自動化でさえも実現可能であり、本発明の範囲内であるが）。
【手続補正１７】
【補正対象書類名】明細書
【補正対象項目名】００２０
【補正方法】変更
【補正の内容】
【００２０】
平面脂質二重層に損傷を与えるプローブとは違って、平面脂質二重層の面積よりも大きな面積を有するキャリア表面を有するプローブの場合は、固定されている間、プローブが実際に脂質二重層の機械的安定性を高めることがわかっている。一般的に、平面脂質二重層を流体静力学的に破裂させるのに必要な圧力は非常に少ない。脂質二重層に静水圧を加える実験のタイプがいくつかある。例えば、圧力に駆動される薬物の送達がもっとも重要であるマイクロ流体の適用において、あるいは、平面脂質二重層を通過する流体の流れがあるその他の実験においてなどである。こうしたタイプの実験において、プローブは、平面脂質二重層を支持するため、および破裂の危険を減らすために使用されてよい。
【手続補正１８】
【補正対象書類名】明細書
【補正対象項目名】００２１
【補正方法】変更
【補正の内容】
【００２１】
本方法は、平面脂質二重層内に膜タンパク質を挿入することを提供する。本方法は、確率的センシング技術に適用してもよく、その中において、例えば、膜タンパク質はポアまたはチャネルであり、装置は更に、脂質二重層を流れる電気信号の測定が可能な電気回路を含む。
【手続補正１９】
【補正対象書類名】明細書
【補正対象項目名】００２２
【補正方法】変更
【補正の内容】
【００２２】
本方法は、いかなるタイプの膜タンパク質にも適用可能である。このことは、内在性膜タンパク質については実証されているが、表在性膜タンパク質についても同様であると期待される。本方法は、β−バレル型またはα−ヘリックス型という２つの主なクラスを含む任意の膜タンパク質に適用される。重要な適用は、ポアまたはチャネルである膜タンパク質である。ポアまたはチャネルであるタンパク質に加え、可能な膜タンパク質としては、レセプター、トランスポーター、あるいは、細胞認識または細胞から細胞への相互作用を達成するタンパク質が更に含まれるが、これらに限定されない。既に述べたように、本発明の方法に従って膜タンパク質が中に挿入された平面脂質二重層は、確率的センシング技術において使用されてよい。脂質二重層はまた、その中に挿入される膜タンパク質の特性の研究のためにも使用されてよい。例えば、膜タンパク質の特性の電圧依存が測定され得る。脂質二重層内の膜タンパク質を研究するための技術は、当該技術分野において周知である。チャネルまたはポアの機能は、確率的センシング技術と同様の方法により、例えば、平面脂質二重層全体を流れるイオン電流を測定することによって決定され得る。トランスポーターの機能は、例えば、質量分析計またはＥＬＩＺＡによって、あるいは、蛍光的または放射能的に標識された基質を使用することによって、脂質二重層内を移動した分子の量を測定することによって決定され得る。
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】変更
【補正の内容】
【００２６】
平面脂質二重層は、任意の膜脂質の二重層であってよく、リン脂質、糖脂質、またはコレステロール、および混合物を含む。例えば、チャンバを定義するチャンバ本体と、中に脂質二重層が形成される開口を有するチャンバの壁とを含み、前記チャンバが水溶液を含有する装置内などによって、平面脂質二重層が形成されるてもよい。
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】変更
【補正の内容】
【００２８】
キャリア表面は、膜タンパク質を保持することが可能である。膜タンパク質が表面上に保持されているために、脂質二重層内に挿入されることが可能となる。一般的に、キャリア表面は、平面脂質二重層への送達のために問題の膜タンパク質の保持を可能とする任意のタイプの表面であってよい。いくつかの例を以下に挙げる。
【手続補正２６】
【補正対象書類名】明細書
【補正対象項目名】００２９
【補正方法】変更
【補正の内容】
【００２９】
好ましくは、プローブは、膜タンパク質をキャリア表面上に吸着することによって膜タンパク質を保持することが可能である。吸着が起こるのを可能とする１つの選択肢は、プローブが、ヒドロゲルなどのゲルのドロップを有する本体を含み、ゲルが本体から突き出しており、ゲルは突出した表面上に膜タンパク質を保持することが可能で、その突出した表面がキャリア表面を構成するものである。しかし、ゲルの使用は必須ではない。例えば代わりに、キャリア表面が、膜タンパク質を吸着する流体または固体の表面であってもよい。適切な固体には、ポリマーまたはガラスが含まれ、そのいずれもが、膜タンパク質の吸着を助けるような適切な特性を有するように選択されてよい。
【手続補正２７】
【補正対象書類名】明細書
【補正対象項目名】００３０
【補正方法】変更
【補正の内容】
【００３０】
更に、膜タンパク質は、他のタイプの物理的または化学的結合によって保持されてよい。例えば、キャリア表面は、問題の膜タンパク質に特異的に結合するように選択されてよい。
【手続補正２８】
【補正対象書類名】明細書
【補正対象項目名】００３１
【補正方法】変更
【補正の内容】
【００３１】
キャリア表面はまた、適切な表面特性が得られるように、例えばコーティングや化学修飾によって処理されてよい。キャリア表面に化学作用を適用できる点は、固体でできたキャリア表面の特別な利点である。適用が可能なコーティングの１つのタイプには、ポリエチレンイミン、あるいは、膜タンパク質への親和性を増加または減少させる任意の高分子電解質がある。適用が可能な化学修飾の１つのタイプには、シラン修飾がある。
【手続補正２９】
【補正対象書類名】明細書
【補正対象項目名】００３２
【補正方法】変更
【補正の内容】
【００３２】
１つのタイプの方法において、キャリア表面は平面脂質二重層よりも強くない力で膜タンパク質を保持でき、前記方法は更に、プローブを移動させて、平面脂質二重層に対してプローブのキャリア表面を固定する工程の後に、プローブを移動させて、脂質二重層からプローブのキャリア表面を離脱させ、それによって、挿入された膜タンパク質を平面脂質二重層内に残す工程を含む。このタイプの方法によって、膜タンパク質は、プローブのキャリア表面から放出される。この場合、手順を妨げることなくプローブを除去することが可能となるので、いくつかの実践的な状況において望ましいかも知れない。
【手続補正３０】
【補正対象書類名】明細書
【補正対象項目名】００３３
【補正方法】変更
【補正の内容】
【００３３】
しかし、こうしたプローブの除去は必須ではない。代わりに、実験技術の実施の間、プローブを平面脂質二重層に固定させたままにしておいてよい。プローブが実験を妨げることがなければ、このやり方は受け入れられる。例えば、確率的センシングの場合は、キャリア表面が、ヒドロゲルなどの水溶液が通過して拡散できる材料の表面であるプローブを使用することによって、これを達成できる。これにより、膜タンパク質がプローブ上に保持されたままである間でも、膜タンパク質にイオン電流を流すことが可能となる。
【手続補正３１】
【補正対象書類名】明細書
【補正対象項目名】００３４
【補正方法】変更
【補正の内容】
【００３４】
１つの実施形態において、キャリア表面は、平面脂質二重層よりも広い面積を有し、少なくとも１桁異なると有利である。この場合、プローブは、好ましくは、キャリア表面としてゲルのドロップの表面を使用する。この場合、適用された力がキャリア表面の面積全体に広がるので、平面脂質二重層への圧力を減少させるという利点がある。この場合、脂質二重層を保持する要素によって動きが阻止されるまで、プローブは平面脂質二重層に対して容易に移動させることができるので、プローブの平面脂質二重層への容易な固定を提供する。圧力の減少は、プローブが平面脂質二重層を損傷することを防ぐ一助ともなる。加えて、比較的大きなプローブの使用は、プローブを移動させる間、平面脂質二重層へ向けて照準を定めることや、上述のように、平面脂質二重層の機械的安定性を高めることができるための一助となる。
【手続補正３２】
【補正対象書類名】明細書
【補正対象項目名】００３５
【補正方法】変更
【補正の内容】
【００３５】
別の実施形態において、キャリア表面は平面脂質二重層よりも小さい。この場合、キャリア表面は一般的に固体の表面である。上記のようにプローブが膜タンパク質を保持できるのであれば、固体の性質は重大ではない。可能な固体の１つはガラスであるが、サボテンの針を使用しても実験は成功している。このタイプのプローブは、以下のような多数の利点を提供する。キャリア表面が平面脂質二重層より小さい結果、平面脂質二重層との接触が保障され得る。ただし、これに対応して、広い面積のキャリア表面を有するプローブと比べて不利な点があり、平面脂質二重層に固定させるために正しい位置にプローブをもっていくために、プローブの移動を注意深く制御する必要がある。小さなプローブはまた、より少ない量の問題の膜タンパク質を平面脂質二重層に送達せしめる。これは例えば、より少ない量の膜タンパク質を必要とする場合など、多くの場合において利点を有する。
【手続補正３３】
【補正対象書類名】明細書
【補正対象項目名】００３７
【補正方法】変更
【補正の内容】
【００３７】
本方法の実施に使用され得る第１装置３０が、図１に示される。第１装置３０は、従来型の電気生理学セル１と、平面脂質二重層内に挿入される膜タンパク質を使用した確率的センシング（stochastic sensing）を実施するための構造と、を含む。
【手続補正３４】
【補正対象書類名】明細書
【補正対象項目名】００４０
【補正方法】変更
【補正の内容】
【００４０】
隔壁６は開口７を有し、これは、電気生理学セル１が組み立てられると、チャンバ部３と一列にならぶ。使用の際、図３に示されるように、平面脂質二重層である脂質二重層９が、開口７全体にわたって形成される。隔壁６は、例えば２５μｍなど、脂質二重層９の形成を容易にするのに十分な薄さである。開口７は、一般的に、脂質二重層９を支持することが可能である任意の形状およびサイズであってよいが、好ましくは約１００μｍの直径を有する円形である。
【手続補正３５】
【補正対象書類名】明細書
【補正対象項目名】０１１７
【補正方法】削除
【補正の内容】
【手続補正３６】
【補正対象書類名】明細書
【補正対象項目名】０１１８
【補正方法】削除
【補正の内容】